(57)【特許請求の範囲】
【請求項１】
筒状本体の拡大開口部に主印字体をリテーナーにより保持し、上方開口端には握り部を着脱自在に嵌着した印判において、主印面と印字コマ部を設けて、印字コマホルダーと一体に設けられたリング形状の固定部を本体内壁面に設けられた棚部に主インキ吸蔵体と主印字体、及びリテーナーからなる部材により圧着させて、前記印字コマホルダーを固定したことを特徴とする印判。
【請求項２】
印字コマホルダーの上部に峰部を設けて、本体内壁面に設けられた棚部にリング形状の固定部と同一形状とする溝を設け、更に印字コマホルダーの位置決めを行う切り込みを設けたことを特徴とする請求項１に記載した印判。
【請求項３】
印字コマホルダーの上部を峰部とし、この頂部にインキ供給筒を設け、従印字体においてもインキ供給を可能としたことを特徴とする請求項１、２に記載した印判。
【請求項４】
主印字体、主インキ吸蔵体をカートリッジに収納し、カートリッジの上方開口端にインキ孔を設けた蓋体で覆い、中央にはコマホルダーが挿入配置され、前記カートリッジは本体の内壁面に嵌合固定されることを特徴とする請求項１、２、３に記載した印判。
【発明の詳細な説明】
【０００１】
【産業上の利用分野】
本発明は、日付けや回し文字を設けたり、従印面（印字コマ部分）と主印面（周りの部分）を設けたり又は、インキ色が異なった印判に関するものである。
また、従印面が印字ゴマ差し替え印にも使用できる印判に関するものである。
【０００２】
【従来の技術】
従来より印字コマを設けた印判は多く出願され、実際に商品としても多くが世の中に出回っている。例えば、印面の中央部に日付コマ部分の窪みを設け、この窪みに印字コマを嵌め込んだ印判が古くからある。こうした印判は、印字コマを差し込んだだけであるので安定が悪く、押圧力により左右に移動し、印影を汚すことがある。また、印字コマを差し込んだだけであるので主印面と従印面（印字コマ）の高さ調整が必要であるが、そうしたことも差込量だけの調整であるので高さが同一とはならない。
更に、出願自体には、実公昭５２−１２４８３号（以下、（イ）とする）、実公昭４９−３３５３５号（以下、（ロ）とする）、実公昭５３−２０２７号（以下、（ハ）とする）、実公昭５８−２６１２６号（以下、（二）とする）がある。
【０００３】
（イ）は、印体ブロック１１、１２の下方に雄螺旋を設けて印体保持枠８に螺旋嵌合して固定している。そしてはずす時は、握り７を回転させて印体保持枠８を上昇させる。更に印面の高さ調整は、握り７の回し具合いによって決める。
こうした構成であるので（イ）は、握り７に触ると回転してしまい印面の高さが変わり、鮮明な印影を得ることが出来ないばかりか、印体保持枠８の下面に螺旋１０を設けなければならず成形も複雑となる。構成的には、本願と異なる発明・考案である。
【０００４】
（ロ）は、印字コマに拡大頭部をもうけてこの下縁が隔壁の上端に支承されている構成である。上下と拡大頭部を設けた側には移動しないが、拡大頭部を設けなっかたもう一方の側は隣の軸印８に当接しているだけであるので不安定であるばかりか軸印８同士の寸法公差を正確にしておかないとずれてしまう。特に（ロ）はスティック印（棒状の本体の下面に印面を有するもの）に対して有効であるが、スティック印の成形精度を求めることになる。さもなければ、スティック印同士のガタツキが生じることになり奇麗な印影を得ることは出来ない。
また構成的には（イ）と同様押圧力を均一に伝達する方法は、明らかに異なる発明・考案である。
【０００５】
（ハ）は、筒枠４の隔壁１の下面に係合溝６を設けて枠函体８に設けた係合鍔部９と係合している。そして、枠函体８の内部に補助具２１を設け、この内部に印字体を配置させている。こうした印判は、捺印押圧を枠函体８で受ける構成ではなく、捺印時の動作によってガタツキをなくする為の構成である。しかし、係合鍔部９は横に張出した片であるので押圧にたいして安定しておらず、組み付けに際しても面倒で安定していない。また、主印面の位置合わせも一方向であるので組み付けにくいものとなっている。
【０００６】
（二）は、回転印であり回転ベルトにインキ供給する為に支持部材９が設けられている。この支持部材は補助基枠と印字体支持枠により挟設されている。第１図から支持部材９より張り出した部材によって固定されていることがわかる。
しかし、その構成も記載されておらず、まずその構成が異なることは明らかである。
【０００７】
【発明が解決しようとする課題】
従って従来より捺印作業において押圧力を確実に受けて主印面及び従印面の両者が奇麗に捺印できる構成の印判がなく、また、組み付けにおいても従印面をガタツキなく確実に組み付けることも出来ないばかりか、簡単に主印面と従印面の位置合わせがでない。
以上の問題より、従印面を確実に保持でき、捺印作業に際しても押圧力を確実に安定的に従印面に伝える事ができ、しかも組み立て時に、主印面と従印面の位置合わせが自由に確実に行える印判を提供する事にある。
【０００８】
【課題を解決するための手段】
筒状本体の拡大開口部に主印字体をリテーナーにより保持し、上方開口端には握り部を着脱自在に嵌着した印判において、主印面と印字コマ部を設けて、印字コマホルダーと一体に設けられたリング形状の固定部を本体内壁面に設けられた棚部に主インキ吸蔵体と主印字体、及びリテーナーからなる部材により圧着させて、前記印字コマホルダーを固定した印判である。
【０００９】
【実施例】
本発明の第１の実施例を図１、図２、図３、図４、図７より詳細に説明する。１は、筒状の本体であり、下方を拡大開口部としており、主インキ吸蔵体２、その下方に主印字体３を配してリテーナー４をもってして拡大開口部に組み付けられている。
主印字体３の中央に従インキ吸蔵体６その下方に従印字体５を配した印字コマホルダー７を設けている。
前記本体１の内壁面には、拡大開口部が始まる位置に棚部１１を設けており、前記棚部１１には、リング形状の溝１２及び溝１２とつながる様に切り込み１３が設けられている。
前記切り込み１３は、６０度づつ相対する２つの切り込み１３が３組、合計６個設けられている。
【００１０】
溝１２の大きさは、固定部８と同じ大きさである。また、切り込み１３の幅は、コマホルダー９の短片と同じ長さである。
更に前記本体１の外周面には、スプリング１５を嵌着保持するリング状の凸部１４を設けており、更にその上部には凹部１６を設けている。上部開口端には、握り部１７の位置決め用切り欠き１８が設けられている。前記切り欠き１８は、前記切り込み１３と位置関係が関係つけられている。相対する２つの前記切り込み１３を結ぶ直線と垂直になる位置で
切り欠き１８が６個設けられている。
【００１１】
７は、前記したように印字コマホルダー７であり、固定部８とコマホルダー９からなっている。そして完全なリング形状の固定部８を外周に設け、中心には長方形状のコマホルダー９を配している。コマホルダー９の下方は開口端になっており、従印字体５及び従インキ吸蔵体６を嵌入している。前記開口端の反対側の閉塞端は、三角柱形状の峰部１０としている。
【００１２】
前記固定部８は、前記本体１の内壁面に設けた棚部１１のリング形状の溝１２に挿嵌若しくは当接され固定されている。また、前記切り込み１３の内、向い合う2ヶ所にコマホルダー９の短片が挿嵌若しくは当接され方向が決められ保持される。
１７は、握り部であり、本体１の上部開口端に嵌着される。
前記握り部１７の内部には、本体１の凹部１６と凹凸嵌合する嵌合部２１を設けており、更に前記切り欠き１８と当接して位置決めできる位置決め突起２２が設けられている。
【００１３】
１９は、筒形状のスライドであり、前記本体１の外周に配設され、本体１の棚部１１とスライドの段２０と当接してスプリング１５の一方を本体１のリング状凸部１４に嵌着し、他方をスライドの内壁面に設けた、スプリング止めによって支持され、スライド全体はスプリング１５によって常に下向きに弾発保持されている。
【００１４】
本実施例の印判の組み付け方法は、従インキ吸蔵体６、従印字体５を挿入した印字コマホルダー７を本体１の棚部１１の溝１２及び切り込み１３を探りながら組み付けられる。
こうして組み付けられた、本体1の棚部１１に保持されるように、主インキ吸蔵体２、主印字体３を挿入し組み付ける。よって、固定部８は本体１の溝１２と主インキ吸蔵体２に挟まれた状態となる。更に下方より主印字体３をリテーナー４により本体１に組み付け保持する事になる。
【００１５】
次に、上部開口端側よりスライド１９を上から被せてスプリング１５の一方端を凸部１４に他方端をリテーナー４の内壁面に当接させ弾発支持させて組み付ける。
そして最後に、上部開口端を塞ぐように握り部１７を上から被せ本体１と凹凸嵌合している。
【００１６】
こうした印判であるので、押圧力を主印字体３及び従印字体５共に均一に掛ける事が出来、印字ゴマホルダー７は確実に固定されている為、押圧力の作用により横にずれたりぐらついたりすることはない。
また、万が一印面の高さが従印字体５と主印字体３とが異なっていても、捺印面に凹凸があっても固定部８と切り込み１３によってコマホルダー９に均一の押圧力がかかる為鮮明な印影が得られる。
【００１７】
インキを補充するには、握り部１７を取り外し、上部開口端よりインキを補充するとコマホルダー９の峰部１０に設けたリブを伝って主インキ吸蔵体２に含侵される。
また、従インキ吸蔵体６にインキを含侵するには、峰部１０のところに栓部３２を設けて、この栓部の取り外しによりインキ含侵を可能にする。（図７）
【００１８】
本発明の第２の実施例を図５、図６をもとに詳細に説明する。第２の実施例は、主印字体３及び主インキ吸蔵体２をカートリッジ３０に収納し、上方より蓋体３１によりふたをしてカートリッジ部となしている。
カートリッジ３０の外周面には、本体１の内周面と凹凸嵌合し、更には蓋体３１は印字コマホルダー７の固定部８を溝１２に押圧している。
本体１の拡大開口部の内周面には、カートリッジ３０の外周面に設けたリング状の突起と凹凸嵌合するようにリング状に凹部が設けられている。
その他の部品は、第１の実施例と同一である。
従って、カートリッジ部の取り替えと共に、印字コマホルダー７の取り替えも自由に行える為、両者の組み合わせをいく通りも可能にしている。更には、取り替えに際し、固定部８がインキで汚れることはない。
【００１９】
【効果】
以上の様に、印字コマホルダー７にはリング形状の固定部８を有し、溝１２に当接嵌合され、コマホルダー９の短片を切り込み１３に当接嵌合させることにより確実に保持し、捺印時の捺印力を確実に伝え鮮明な印影が得られる。
また、組み付けにおいても従印面をガタツキなく確実に組み付けることが出来、切り込み１３が６０度づつも受けられている為、簡単に主印面と従印面の位置合わせが可能としている。更に、本体の切り欠き１８が、相対する切り込み１３に垂直に設けられている為、握り部１７と印面の位置あわせが容易に確実に出来る。
【００２０】
【図面の簡単な説明】
【図１】本発明の第１の実施例の正面半断面図
【図２】本発明の第１の実施例の左側面半断面図
【図３】本発明の第１の実施例の本体の略底面図
【図４】本発明の第１の実施例の印字コマホルダーの斜視図
【図５】本発明の第２の実施例のカートリッジ斜視図
【図６】本発明の第２の実施例の左側面半断面図
【図７】本発明の実施例に栓部を設けた左側面半断面図
【符号の説明】
１  ：本体
２  ：主インキ吸蔵体
３  ：主印字体
４  ：リテーナー
５  ：従印字体
６  ：従インキ吸蔵体
７  ：印字コマホルダー
８  ：固定部
９  ：コマホルダー
１０  ：峰部
１１  ：棚部
１２  ：溝
１３  ：切り込み
１４  ：凸部
１５  ：スプリング
１６  ：凹部
１７  ：握り部
１８  ：切り欠き
１９  ：スライド
２０  ：段
２１  ：嵌合部
２２  ：位置決め突起
【図１】
0004185193.tif 000002
【図２】
0004185193.tif 000003
【図３】
0004185193.tif 000004
【図４】
0004185193.tif 000005
【図５】
0004185193.tif 000006
【図６】
0004185193.tif 000007
【図７】
0004185193.tif 000008